(57)【要約】【課題】従来、メールサーバで添付ファイルを変換するシステムでは、携帯電話機で閲覧した添付ファイルをパソコン等他の装置で閲覧できず不便であるという問題点があり、携帯電話機に添付ファイルを作成したプログラムをインストールしなくても添付ファイルを閲覧でき、更に、添付ファイルを別の装置で閲覧でき、利便性を向上させることができる総合キーを提供する。【解決手段】総合キーのメモリ４に携帯電話機で動作するメーラーとビューワーを記憶し、総合キーが携帯電話機に接続されると、メーラー及びビューワーを携帯電話機に出力し、メーラーが、携帯電話機で電子メールを受信して添付ファイルを総合キーのデータ記憶エリア４２に記憶し、ビューワーが、データ記憶エリア４２に記憶された添付ファイルを読み出して携帯電話機で閲覧可能なフォーマットに変換表示する総合キー及びそれを用いたデータ処理方法である。【選択図】　　　　図２
2004146896.tif 000002
【特許請求の範囲】
【請求項１】
データを記憶するメモリと、
前記メモリに記憶されたデータの読み出し及び書き込みを行う入出力部と、
前記入出力部をコンピュータのＵＳＢポートに接続するＵＳＢコネクタと、
前記入出力部を携帯電話機に接続する携帯電話用コネクタと、
前記入出力部を個人情報端末に接続する個人情報端末用コネクタとを備えたことを特徴とする総合キー。
【請求項２】
メモリには携帯電話機で利用されるメーラーのプログラムが記憶されており、
携帯電話用コネクタを介して接続された携帯電話機に前記メーラーのプログラムを出力し、
携帯電話機におけるメーラーは、受信した電子メールに添付されたファイルのデータを当該メモリに記憶するメーラーであることを特徴とする請求項１記載の総合キー。
【請求項３】
メモリには携帯電話機で利用されるビューワーのプログラムが記憶されており、
携帯電話用コネクタを介して接続された携帯電話機に前記ビューワーのプログラムを出力し、
携帯電話機におけるビューワーは、前記メモリに記憶された添付ファイルのデータを閲覧可能とするビューワーであることを特徴とする請求項２記載の総合キー。
【請求項４】
請求項２記載の総合キーを用いたデータ処理方法であって、総合キーが携帯電話用コネクタを介して携帯電話機に接続されると、メモリに記憶されたメーラーのプログラムを前記携帯電話機に出力し、
前記携帯電話機において、起動された前記メーラーが、電子メールを受信して、当該電子メールに添付されたファイルのデータを、接続されている総合キーのメモリに記憶することを特徴とする総合キーを用いたデータ処理方法。
【請求項５】
請求項３記載の総合キーを用いたデータ処理方法であって、総合キーが携帯電話用コネクタを介して携帯電話機に接続されると、メモリに記憶されたビューワーのプログラムを前記携帯電話機に出力し、
前記携帯電話機において、起動された前記ビューワーが、接続されている総合キーのメモリに記憶されている添付ファイルのデータを閲覧可能に表示することを特徴とする総合キーを用いたデータ処理方法。
【請求項６】
請求項３記載の総合キーを用いたデータ処理方法であって、総合キーが携帯電話用コネクタを介して携帯電話機に接続されると、メモリに記憶されたメーラー及びビューワーのプログラムを前記携帯電話機に出力し、
前記携帯電話機において、前記メーラーのプログラムが起動され、電子メールの受信が開始されると、前記電子メールに添付されたファイルのデータを、接続されている総合キーのメモリに記憶し、前記ファイルのデータを閲覧する操作によって、前記ビューワーが、前記接続されている総合キーのメモリに記憶されている添付ファイルのデータを閲覧可能に表示することを特徴とする総合キーを用いたデータ処理方法。
【発明の詳細な説明】
【０００１】
【発明の属する技術分野】
本発明は、ＵＳＢポートを備えた装置に接続可能なＵＳＢ（Ｕｎｉｖｅｒｓａｌ　ＳｅｒｉａｌＢｕｓ）キーに係り、特に、携帯電話機に添付ファイルを閲覧するプログラムをインストールすることなく、受信メールに添付された添付ファイルを閲覧でき、また、パーソナルコンピュータ、携帯電話機、ＰＤＡ等種々の装置間でデータを共有することができる総合キー及びそれを用いたデータ処理方法に関する。
【０００２】
【従来の技術】
ＵＳＢ（Ｕｎｉｖｅｒｓａｌ　Ｓｅｒｉａｌ　Ｂｕｓ）キーは、内部にＩＣやメモリを搭載し、装置に設けられたＵＳＢポートに差し込んでデータの読み書きを行うことができるものであり、デスクトップとノートブックとの間の小型のデータ交換ツールとして用いられている。
【０００３】
また、ＵＳＢキーは、暗号鍵を内蔵し、マシンやアプリケーションの起動制御や、サーバーの利用制御、電子署名による認証処理等に利用できるセキュリティデバイスとして用いられることもある。
【０００４】
従来のＵＳＢキーを用いた技術としては、例えば、ＵＳＢキーに暗号化されたＩＤを記憶しておき、電子商取引の際に、当該ＩＤをキャッシュセンタに問い合わせて、ＵＳＢキーの残高から取引料金を引き落とす処理を行って、インターネット上での少額取引を簡易に行うことができるものがあった（特許文献１参照）。
【０００５】
また、近年広く普及している携帯電話機（ＰＨＳ含む）やＰＤＡ（Ｐｅｒｓｏｎａｌ　Ｄｉｇｉｔａｌ　Ａｓｓｉｓｔａｎｔｓ、個人情報端末）は、小型で持ち運びに便利であるが、記憶容量に制限があるため種々のアプリケーションプログラムをインストールすることは困難であった。
【０００６】
例えば、添付ファイル付きのメールが送信された場合、その添付ファイルを作成したプログラム又は閲覧するプログラム（ビューワー）がない携帯電話機や一部のＰＤＡでは、通常は添付ファイルを受信しないように設定されており、添付ファイルを閲覧することができず不便であった。
【０００７】
このような問題点を解決するための従来技術としては、メールサーバに、添付ファイルに応じた変換プログラムを備え、ユーザ毎に設定された情報に従って、受信メールに添付された添付ファイルを、ＰＤＡ等のメール閲覧マシンで閲覧可能なフォーマットに変換して、元のファイルと差し替えることにより、閲覧表示するプログラムをインストールすることなく、添付ファイルを閲覧できるものがあった（特許文献２参照）。
【０００８】
【特許文献１】
特開２００２−２５９８６７号公報
【特許文献２】
特開２００２−８２８８７号公報
【０００９】
【発明が解決しようとする課題】
しかしながら、上記従来のＵＳＢキーは、ＵＳＢポートを備えた装置にしか接続できないため、そのような装置間でのデータ交換に用いられるだけであり、携帯電話機やＵＳＢポートを備えていないＰＤＡとのデータ交換はできず、不便であるという問題点があった。
【００１０】
また、上記従来のメールサーバに変換プログラムを備えたものでは、携帯電話機がメール受信時に添付ファイルを閲覧することは可能であるが、変換後のデータをＰＤＡやパソコン等他の情報処理装置で閲覧することはできず、不便であるという問題点があった。
【００１１】
本発明は上記実情に鑑みて為されたもので、携帯電話機に添付ファイルを作成したプログラムをインストールすることなく、メールで受信した添付ファイルを閲覧でき、更に、添付ファイルのデータを別の装置でも閲覧することができ、利便性を向上させることができる総合キー及びそれを用いたデータ処理方法を提供する。
【００１２】
【課題を解決するための手段】
上記従来例の問題点を解決するための本発明は、総合キーにおいて、データを記憶するメモリと、メモリに記憶されたデータの読み出し及び書き込みを行う入出力部と、入出力部をコンピュータのＵＳＢポートに接続するＵＳＢコネクタと、入出力部を携帯電話機に接続する携帯電話用コネクタと、入出力部を個人情報端末に接続する個人情報端末用コネクタとを備えた総合キーとしており、データを内部のメモリに記憶しておけば、簡単に持ち歩いて携帯電話機、個人情報端末、コンピュータのいずれからでも読み書き可能とすることができ、利便性を向上させることができる。
【００１３】
上記従来例の問題点を解決するための本発明は、メモリには携帯電話機で利用されるメーラーが記憶されており、携帯電話用コネクタを介して接続された携帯電話機にメーラーを出力し、携帯電話機におけるメーラーは、受信した電子メールに添付されたファイルのデータを当該メモリに記憶するメーラーである総合キーとしており、携帯電話機に添付ファイルを作成したプログラムを備えていなくても添付ファイルを受信することができ、更に、ユーザは簡単に添付ファイルのデータを移動して別の装置での閲覧や編集を行うことができ、利便性を一層向上させることができる。
【００１４】
上記従来例の問題点を解決するための本発明は、メモリには携帯電話機で利用されるビューワーが記憶されており、携帯電話用コネクタを介して接続された携帯電話機にビューワーを出力し、携帯電話機におけるビューワーは、メモリに記憶された添付ファイルのデータを閲覧可能とするビューワーである総合キーとしており、携帯電話機が、添付ファイルを作成したプログラムを備えていなくても受信した添付ファイルを閲覧することができ、利便性を向上させることができる。
【００１５】
上記従来例の問題点を解決するための本発明は、総合キーが携帯電話用コネクタを介して携帯電話機に接続されると、メモリに記憶されたメーラーのプログラムを携帯電話機に出力し、携帯電話機において、起動されたメーラーが、電子メールを受信して、当該電子メールに添付されたファイルのデータを、接続されている総合キーのメモリに記憶する総合キーを用いたデータ処理方法としており、携帯電話機に添付ファイルを作成したプログラムを備えていなくても添付ファイルを受信することができ、更に、ユーザは簡単に添付ファイルのデータを移動して別の装置での閲覧や編集を行うことができ、利便性を向上させることができる。
【００１６】
上記従来例の問題点を解決するための本発明は、総合キーが携帯電話用コネクタを介して携帯電話機に接続されると、メモリに記憶されたビューワーのプログラムを携帯電話機に出力し、携帯電話機において、起動されたビューワーが、接続されている総合キーのメモリに記憶されている添付ファイルのデータを閲覧可能に表示する総合キーを用いたデータ処理方法としており、携帯電話機が、添付ファイルを作成したプログラムを備えていなくても受信した添付ファイルを閲覧することができ、利便性を向上させることができる。
【００１７】
上記従来例の問題点を解決するための本発明は、総合キーが携帯電話用コネクタを介して携帯電話機に接続されると、メモリに記憶されたメーラー及びビューワーのプログラムを携帯電話機に出力し、携帯電話機において、メーラーのプログラムが起動され、電子メールの受信が開始されると、電子メールに添付されたファイルのデータを、接続されている総合キーのメモリに記憶し、ファイルのデータを閲覧する操作によって、ビューワーが、接続されている総合キーのメモリに記憶されている添付ファイルのデータを閲覧可能に表示する総合キーを用いたデータ処理方法としており、携帯電話機に添付ファイルを作成したプログラムを備えていなくても添付ファイルを受信して閲覧することができ、更に、ユーザは簡単に添付ファイルのデータを移動して別の装置での閲覧や編集を行うことができ、利便性を一層向上させることができる。
【００１８】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１９】
本発明に係る総合キー（本装置）は、内部のメモリへの入出力を行うデバイスを接続するコネクタとして、パーソナルコンピュータ（ＰＣ）等に接続するＵＳＢコネクタの他に、携帯電話機に接続する携帯電話用コネクタと、個人情報端末（ＰＤＡ）に接続するＰＤＡ用コネクタとを備え、総合キー内部のメモリに対して、携帯電話機と、ＰＤＡと、ＰＣのいずれからでもデータの読み書き可能とすることができ、利便性を向上させることができるものである。
【００２０】
また、本装置は、内部のメモリに携帯電話機で起動する専用のメーラーと添付ファイルのビューワーのプログラムとを記憶しており、携帯電話機に接続して専用のメーラーとビューワーのプログラムを出力すると共に、携帯電話機で受信したメールの添付ファイルを記憶するものであり、携帯電話機では添付ファイルを作成したプログラムを備えていなくても、専用のメーラーを用いて受信し、ビューワーを用いて添付ファイルを閲覧することができ、更に、ユーザは簡単にデータを移動して他のコネクタを介して別の装置での閲覧や編集を行うことができ、利便性を一層向上させることができるものである。
【００２１】
また、本発明に係る総合キーを用いたデータ処理方法（本方法）は、総合キーが携帯電話機に接続されると、内部に設けられたメモリに記憶されている専用のメーラーと添付ファイルのビューワーのプログラムとを携帯電話機に出力し、携帯電話機がメーラーとビューワーのプログラムをインストールし、メーラーが起動されてメールを受信すると、添付ファイルを接続された総合キー内部のメモリに記憶し、ビューワーが当該添付ファイルを携帯電話機において閲覧可能に表示するようにしており、携帯電話機に添付ファイルを作成したプログラムを備えていなくても添付ファイルを受信して閲覧することができると共に、ユーザは総合キーに記憶したデータを簡単に移動して他のコネクタを介して別の装置での閲覧や編集を行うことができ、利便性を一層向上させることができるものである。
【００２２】
本発明の実施の形態に係る総合キーの外観について図１を用いて説明する。図１は、本発明の実施の形態に係る総合キーの外観図である。
図１に示すように、本発明の実施の形態に係る総合キー（本装置）は、従来のＵＳＢキーと同様のコンピュータ等のＵＳＢポートに接続するＵＳＢコネクタ１に加えて、携帯電話機に接続する携帯電話機用コネクタ（携帯電話用コネクタ）２と、個人情報端末（ＰＤＡ）に接続するＰＤＡ用コネクタ３とを備えている。また、内部には、半導体メモリ（図示せず）が設けられている。
【００２３】
次に、本装置の内部構成について図２を用いて説明する。図２は、本装置の内部構成を示す概略構成図である。
図２に示すように、本装置は、内部に半導体メモリから成るメモリ４と、メモリ４に対する入出力を行う入出力部（Ｉ／Ｏ）５と、配線を介して入出力部５に接続するＵＳＢコネクタ１と、携帯電話用コネクタ２と、ＰＤＡ用コネクタ３とから構成されている。ここで、入出力部５は、各コネクタに接続されたデバイスに設けられたドライバからの制御信号に従ってメモリ４への入出力を行うものとなっている。
【００２４】
更に、メモリ４は、プログラム記憶エリア４１と、データ記憶エリア４２とから構成され、プログラム記憶エリア４１には、本装置の特徴部分であり、携帯電話機上で動作するメーラーのプログラムと、電子メールに添付された添付ファイルのフォーマットに対応し、添付ファイルを携帯電話機において閲覧するビューワーのプログラムとが記憶されている。
【００２５】
メーラーは、携帯電話機におけるメールの送受信を行うものであり、携帯電話機に予め設けられているメール機能を用いてメールの送受信を行うが、通常のメール機能とは一部処理が異なっている。メーラーの処理については後で詳細に説明する。
【００２６】
ビューワーは、各種添付ファイルを読み取って、携帯電話機において閲覧可能なフォーマットに変換して表示部に出力するものであり、例えば、ＷｏｒｄやＥｘｃｅｌのようなワープロソフトや表計算ソフトで作成されたファイルを閲覧可能とするものである。
メーラー及びビューワーのプログラムは、ＪＡＶＡ（登録商標）のアプリケーションであり、ＪＡＶＡ（登録商標）対応の携帯電話機及びＰＤＡ上で起動できるものである。
【００２７】
また、データ記憶エリア４２は、入出力部５を介してＵＳＢコネクタ１、携帯電話用コネクタ２、ＰＤＡ用コネクタ３に接続されるデバイス（装置）から入力されたデータを記憶するエリアであり、データ記憶エリア４２に記憶されているデータは、入出力部５及び各コネクタを介してそれぞれのコネクタに接続されたデバイスに出力されるものである。従って、本装置を用いることにより、データ記憶エリア４２に記憶されたデータをＰＣ、ＰＤＡ、携帯電話機で共用できるものである。
【００２８】
次に、本発明の総合キーを用いたデータ処理方法について図２及び図３を用いて説明する。図３は、携帯電話機にインストールされたメーラーの処理を示すフローチャート図である。ここでは、携帯電話機で添付ファイルが添付された電子メールを受信してそれを総合キーに格納する際の処理について説明する。
まず、携帯電話機に本装置を接続して用いる場合、総合キーに対する入出力を行う専用のドライバが必要になる。そこで、ユーザは、携帯電話機にドライバをインストールする。ドライバの取得方法としては、例えば、携帯電話用の特定のインターネットサイトにアクセスして所望のドライバをダウンロードするといった方法が考えられる。
【００２９】
そして、ユーザが、総合キーの携帯電話用コネクタ２を携帯電話機に差し込んで、携帯電話機と総合キーとを接続する。携帯電話機では、総合キーが接続されたことを認識し、入力部からの操作によって総合キーが選択されると、携帯電話機にインストールされているドライバが、総合キーのメモリ４からメーラーとビューワーのプログラムをインストールする。
【００３０】
そして、図３に示すように、入力部からの操作によってインストールされたメーラーが起動されると、メーラーは、現在の添付ファイルの受信設定を記憶してから、添付ファイルの受信設定を「受信する」に設定する（１００）。これは、通常は受信しないようなファイル形式の添付ファイルや容量の大きい添付ファイルであっても閲覧可能なものは受信できるようにするためである。
【００３１】
そして、サーバーから当該携帯電話機宛のメールがあった旨の知らせが来ると、メーラーは、携帯電話機のメール機能を用いてメールを受信し（１０２）、本文を表示する（１０４）。
そして、メーラーは、受信したメールに添付ファイルが添付されているか否かを判断し（１０６）、添付ファイルがなければ、受信日時や発信者及び本文を携帯電話機内部のメモリに記憶する通常受信処理を行う（１２０）。
【００３２】
また、処理１０６において、添付ファイルが添付されていた場合には、メーラーは、インストールされたビューワーで当該添付ファイルを閲覧可能か否かを判断する（１１０）。具体的には、メーラーは、添付ファイルの拡張子をチェックして、ファイル形式に対応するビューワーを備えているかどうかを判断するものである。
【００３３】
そして、処理１１０で、添付ファイルがビューワーで閲覧不可能であれば、メーラーは、処理１２０に移行して通常の受信処理を行う。ここで、添付ファイル表示の指示が入力された場合には、「添付ファイルは表示できません」といったメッセージを表示して、添付ファイルの受信及び表示は行わない。
【００３４】
また、処理１１０で、添付ファイルがビューワーで閲覧可能であれば、メーラーは、添付ファイルを受信して（１１２）、本文及び添付ファイルを総合キーのデータ記憶エリア４２に記憶する（１１４）。
【００３５】
そして、メーラーは、添付ファイル表示指示が入力されたかどうかを判断し（１１６）、指示が入力された場合には、インストールされたビューワーを起動し、ビューワーが総合キーのデータ記憶エリア４２から添付ファイルを読み出して、携帯電話機で閲覧可能なフォーマットに変換して表示部に出力して、添付ファイルを表示する（１１８）。
【００３６】
そして、メーラー終了の指示が入力されたかどうかを判断し（１３０）、終了の指示が入力されない場合には、処理１０２に移行してメールの待ち受け状態に戻る。
また、処理１３０でメーラー終了の指示が入力された場合には、メーラーは、添付ファイルの受信設定を記憶しておいた元の状態に戻し（１３２）、メーラーを終了する。このようにしてメーラーの処理が行われるものである。
【００３７】
これにより、ユーザは、Ｍｉｃｒｏｓｏｆｔ社のＷｏｒｄ（登録商標）やＥｘｃｅｌ（登録商標）のように、通常、携帯電話機にはインストールされていないアプリケーションで作成されたファイルが添付ファイルとして添付されていても、メーラーを用いて携帯電話機で受信して総合キーに格納することができ、更に、それらのファイル形式に対応したビューワーをインストールすることにより、総合キーから添付ファイルを読み出して携帯電話機において閲覧可能とすることができるものである。
【００３８】
また、上述したように受信した添付ファイルのデータを一旦総合キーに格納しておけば、ユーザは、総合キーを持ち歩いて、ＰＤＡやパーソナルコンピュータ又は別の携帯電話機に、それぞれの装置に適したコネクタを用いて当該総合キーを挿入することにより、総合キーに格納した添付ファイルのデータを別の装置において読み出して閲覧、編集等を行うことができるものである。この場合、別の装置にも総合キーに対するドライバが必要であり、ドライバは、インターネットを介してダウンロードしたり、ＣＤ−ＲＯＭ等からインストールしておく。
【００３９】
また、別の利用方法としては、ＰＣで作成した文書等を総合キーに記憶しておき、総合キーを携帯電話機に接続して、携帯電話機で総合キーのビューワーを起動すれば、外出先であっても携帯電話機で閲覧する、といったことも考えられる。
【００４０】
更に、総合キーの形状は図１に示したものに限らない。ここで、総合キーの別の形状について、図４及び図５を用いて説明する。図４及び図５は、総合キーの別の形状を示す説明図である。
図４に示したものは、３本の突起を備え、それぞれの先端部にＵＳＢコネクタ１、携帯電話用コネクタ２、ＰＤＡ用コネクタ３を設けた構造となっている。尚、総合キーには持ち運びに便利なようにキーホルダーに取り付けるためのチェーンやストラップが設けられている。
【００４１】
また、図５に示したものは、４本の突起を備えた構造であり、４本の内の３本にコネクタを設け、残りの１本にストラップを取り付けてある。また、ここでは４本の突起が全て同一平面上にある構造となっているが、立体的、例えば正四面体の頂点方向に突起を出した形状であってもよい。また、球面や正四面体等の立体の面の部分にコネクタを設けた形状であっても構わない。
【００４２】
本発明の実施の形態に係る総合キーによれば、総合キーに内部のメモリ４に接続可能なＵＳＢコネクタ１と、携帯電話用コネクタ２と、ＰＤＡ用コネクタ３とを設けた総合キーとしているので、メモリ４に対するデータの書き込み及び読み出しを、ＵＳＢポートを備えたコンピュータ、携帯電話機、ＰＤＡのいずれからでも行うことができ、利便性を向上できる効果がある。
【００４３】
また、本発明の実施の形態に係る総合キー及びそれを用いたデータ処理方法によれば、総合キーのメモリ４に携帯電話機で動作するメーラーと、添付ファイルのビューワーのプログラムとを記憶しておき、総合キーが携帯電話機に接続されると、総合キーがメーラー及びビューワーのプログラムを携帯電話機に出力し、メーラーが、携帯電話機において電子メールを受信して、ビューワーにて閲覧可能な添付ファイルが添付されていれば、当該添付ファイルを総合キーのメモリ４のデータ記憶エリア４２に記憶し、ビューワーが、総合キーのデータ記憶エリア４２に記憶された添付ファイルを読み出して、携帯電話機において閲覧可能なフォーマットに変換して表示するようにしているので、携帯電話機に、添付ファイルを作成したプログラムがインストールされていなくても、添付ファイルを受信して閲覧することができ、また、受信した添付ファイルを総合キーに記憶しておくことにより、持ち運びが容易で、ＰＤＡやＰＣ等の他の装置で添付ファイルを閲覧したり、編集することができ、一層利便性を向上させることができる効果がある。
【００４４】
また、本総合キーは、内部のメモリにメーラー及びビューワーのプログラムを備えているので、携帯電話機は、通信コストをかけずにメーラー及びビューワーを取得することができる効果がある。
【００４５】
【発明の効果】
本発明によれば、データを記憶するメモリと、メモリに記憶されたデータの読み出し及び書き込みを行う入出力部と、入出力部をコンピュータのＵＳＢポートに接続するＵＳＢコネクタと、入出力部を携帯電話機に接続する携帯電話用コネクタと、入出力部を個人情報端末に接続する個人情報端末用コネクタとを備えた総合キーとしているので、データを内部のメモリに記憶しておけば、簡単に持ち歩いて携帯電話機、個人情報端末、コンピュータのいずれからでも読み書き可能とすることができ、利便性を向上させることができる効果がある。
【００４６】
また、本発明によれば、メモリには携帯電話機で利用されるメーラーが記憶されており、携帯電話用コネクタを介して接続された携帯電話機にメーラーを出力し、携帯電話機におけるメーラーは、受信した電子メールに添付されたファイルのデータを当該メモリに記憶するメーラーである総合キーとしているので、携帯電話機に添付ファイルを作成したプログラムを備えていなくても添付ファイルを受信することができ、更に、ユーザは簡単に添付ファイルのデータを移動して別の装置での閲覧や編集を行うことができ、利便性を一層向上させることができる効果がある。
【００４７】
また、本発明によれば、メモリには携帯電話機で利用されるビューワーが記憶されており、携帯電話用コネクタを介して接続された携帯電話機にビューワーを出力し、携帯電話機におけるビューワーは、メモリに記憶された添付ファイルのデータを閲覧可能とするビューワーである総合キーとしているので、携帯電話機が、添付ファイルを作成したプログラムを備えていなくても受信した添付ファイルを閲覧することができ、利便性を向上させることができる効果がある。
【００４８】
また、本発明によれば、総合キーが携帯電話用コネクタを介して携帯電話機に接続されると、メモリに記憶されたメーラーのプログラムを前記携帯電話機に出力し、携帯電話機において、起動されたメーラーが、電子メールを受信して、当該電子メールに添付されたファイルのデータを、接続されている総合キーのメモリに記憶する総合キーを用いたデータ処理方法としているので、携帯電話機に添付ファイルを作成したプログラムを備えていなくても添付ファイルを受信することができ、更に、ユーザは簡単に添付ファイルのデータを移動して別の装置での閲覧や編集を行うことができ、利便性を向上させることができる効果がある。
【００４９】
また、本発明は、総合キーが携帯電話用コネクタを介して携帯電話機に接続されると、メモリに記憶されたビューワーのプログラムを前記携帯電話機に出力し、携帯電話機において、起動されたビューワーが、接続されている総合キーのメモリに記憶されている添付ファイルのデータを閲覧可能に表示する総合キーを用いたデータ処理方法としているので、携帯電話機が、添付ファイルを作成したプログラムを備えていなくても受信した添付ファイルを閲覧することができ、利便性を向上させることができる効果がある。
【００５０】
また、本発明によれば、総合キーが携帯電話用コネクタを介して携帯電話機に接続されると、メモリに記憶されたメーラー及びビューワーのプログラムを携帯電話機に出力し、携帯電話機において、メーラーのプログラムが起動され、電子メールの受信が開始されると、電子メールに添付されたファイルのデータを、接続されている総合キーのメモリに記憶し、ファイルのデータを閲覧する操作によって、ビューワーが、接続されている総合キーのメモリに記憶されている添付ファイルのデータを閲覧可能に表示する総合キーを用いたデータ処理方法としているので、携帯電話機に添付ファイルを作成したプログラムを備えていなくても添付ファイルを受信して閲覧することができ、更に、ユーザは簡単に添付ファイルのデータを移動して別の装置での閲覧や編集を行うことができ、利便性を一層向上させることができる効果がある。
【図面の簡単な説明】
【図１】本発明の実施の形態に係る総合キーの外観図である。
【図２】本装置の内部構成を示す概略構成図である。
【図３】携帯電話機にインストールされたメーラーの処理を示すフローチャート図である。
【図４】総合キーの別の形状を示す説明図である。
【図５】総合キーの別の形状を示す説明図である。
【符号の説明】
１…ＵＳＢコネクタ、　２…携帯電話用コネクタ、　３…ＰＤＡ用コネクタ、４…メモリ、　５…入出力部（Ｉ／Ｏ）、　４１…プログラム記憶エリア、　４２…データ記憶エリア
【図１】
2004146896.tif 000003
【図２】
2004146896.tif 000004
【図３】
2004146896.tif 000005
【図４】
2004146896.tif 000006
【図５】
2004146896.tif 000007